(57)【要約】【課題】  録画したコンテンツの再生に関してのユーザーの操作性、利便性の向上。【解決手段】  第１の受信処理手段で得られる放送コンテンツの視聴及びライブ録画（第１のコンテンツファイルの録画）と、第２の受信処理手段で得られる放送コンテンツの録画（第２のコンテンツファイルの録画）が同時に実行されている場合、ユーザーが再生関連操作を行った場合は、もし第１，第２の受信処理手段の受信チャンネルが異なれば、第１のコンテンツファイル（ライブ録画のコンテンツファイル）の再生処理が行われ、第１，第２の受信処理手段の受信チャンネルが同一であれば、第２のコンテンツファイル（通常録画のコンテンツファイル）の再生処理が行われるようにする。【選択図】      図２
2005079954.tif 000002
【特許請求の範囲】
【請求項１】
それぞれが放送コンテンツ信号の受信処理を行う第１、第２の受信処理手段と、
上記第１，第２の受信処理手段で得られる各放送コンテンツ信号を同時に記録媒体に記録し、又、再生できる記録再生手段と、
上記受信処理手段から出力される放送コンテンツ信号、及び上記記録再生手段によって記録媒体から再生された放送コンテンツ信号を所定の出力部から出力させる処理を行う出力処理手段と、
ユーザー操作のための操作手段と、
上記操作手段で指示されたチャンネルの放送コンテンツ信号を、上記第１の受信処理手段で得て上記出力処理手段により上記出力部から出力させながら、上記記録再生手段により第１のコンテンツファイルとして記録媒体へ記録しており、また、上記第２の受信処理手段で得られる或るチャンネルの放送コンテンツ信号を上記記録再生手段により第２のコンテンツファイルとして記録媒体に記録している、同時記録実行中に、上記操作手段により再生関連操作が行われた場合、上記第１、第２の受信処理手段が同一チャンネルの受信処理を行っているのであれば、上記第２のコンテンツファイルに対する再生関連処理を実行させる制御手段と、
を備えたことを特徴とする記録再生装置。
【請求項２】
上記制御手段は、上記同時記録実行中に、上記操作手段により再生関連操作が行われた場合、上記第１、第２の受信処理手段が異なるチャンネルの受信処理を行っているのであれば、上記第１のコンテンツファイルに対する再生関連処理を実行させることを特徴とする請求項１に記載の記録再生装置。
【請求項３】
それぞれが放送コンテンツ信号の受信処理を行う第１、第２の受信処理手段と、
上記第１，第２の受信処理手段で得られる各放送コンテンツ信号を同時に記録媒体に記録し、又、再生できる記録再生手段と、
上記受信処理手段から出力される放送コンテンツ信号、及び上記記録再生手段によって記録媒体から再生された放送コンテンツ信号を所定の出力部から出力させる処理を行う出力処理手段と、
ユーザー操作のための操作手段と、
を備える記録再生装置における再生処理方法として、
上記操作手段で指示されたチャンネルの放送コンテンツ信号を、上記第１の受信処理手段で得て上記出力処理手段により上記出力部から出力させながら、上記記録再生手段により第１のコンテンツファイルとして記録媒体へ記録する第１の受信及び記録ステップと、
上記第２の受信処理手段で得られる或るチャンネルの放送コンテンツ信号を上記記録再生手段により第２のコンテンツファイルとして記録媒体に記録する第２の受信及び記録ステップと、
上記第１，第２の受信及び記録ステップが同時に実行されているときに上記操作手段により再生関連操作が行われた場合、上記第１、第２の受信処理手段が異なるチャンネルの受信処理を行っていれば上記第１のコンテンツファイルに対する再生関連処理を実行し、上記第１、第２の受信処理手段が同一のチャンネルの受信処理を行っていれば上記第２のコンテンツファイルに対する再生関連処理を実行する再生ステップと、
を備えることを特徴とする再生処理方法。
【発明の詳細な説明】
【技術分野】
【０００１】
本発明は、放送コンテンツを受信し、また記録再生することのできる記録再生装置、及びその再生処理方法に関するものである。
【背景技術】
【０００２】
近年、ＨＤＤ（Hard Disc Drive）やＤＶＤ（Digital Versatile Disc）等の記録媒体を用いたビデオレコーダのように、放送コンテンツ（番組等）を記録する記録装置が開発されている。
そしてこれらの機器にも適用できる技術として、例えば下記特許文献のように、テレビジョン放送等の録画に関する処理が各種提案され、ユーザーの操作性、利便性の向上などが図られている。特に特許文献にも記載されているように放送の受信処理手段としてのチューナを複数搭載したものも知られている。
【特許文献１】特開２００２−１５２６３９号公報
【発明の開示】
【発明が解決しようとする課題】
【０００３】
これらの放送受信／録画用途の機器では、例えばテレビジョン放送の受信チューナを複数搭載することで、或る番組を見ながら、他の番組を録画するという機能が実現されている。
また近年、同時に２つ以上の録画処理を行うことができる機器も開発されている。
例えばＨＤＤを記録媒体として利用する機器では、チューナ及び記録用のエンコードを行う回路系が２系統あれば、１つのＨＤＤを用いて、時分割処理などで複数の放送コンテンツの録画を同時に実行できる。もちろん複数のＨＤＤを備えていたり、ＨＤＤとＤＶＤドライブ部を備える機器などでも同様である。
【０００４】
ところで複数のチューナを備えた受信／録画機器においては、一般的には一方のチューナ（録画用チューナ）では例えば予約録画などに応じた録画のために使用され、他方のチューナ（リアルタイムのライブ視聴に用いるチューナ：以下「ライブ用チューナ」）では、ユーザーのチャンネル操作に応じた視聴のために用いられる。
そして、さらに各チューナで得られた放送コンテンツを同時に録画できる受信／録画装置では、録画用チューナの受信番組とライブ用チューナの受信番組を同時に並行して録画できることから、ライブ用チューナでユーザーのチャンネル操作に応じて受信し、視聴のためにディスプレイに出力している放送コンテンツを、同時に録画することも行われている。
【０００５】
この様子を図５に示す。
図５（ａ）（ｂ）（ｃ）では、ライブ用チューナで受信された放送コンテンツの出力や録画の様子を示し、また図５（ｄ）（ｅ）では録画用チューナで受信された放送コンテンツの録画の様子を示している。
図５（ｄ）（ｅ）のように例えば録画用チューナでは、録画予約、或いはユーザーの操作に応じて、ｔ０時点からチャンネル１（以下、放送局のチャンネルを「ｃｈ」として記す）の録画を行っているものとする。即ち録画用チューナの選局チャンネルはｃｈ１とされ、ｃｈ１の放送コンテンツを復調する。その放送コンテンツは録画処理のために所定のエンコードが施され、例えばＨＤＤ等の記録部に供給される。即ちｃｈ１の放送映像が録画される。
【０００６】
一方、ライブ用チューナでは、ユーザーのチャンネル操作に応じて受信復調処理を行う。そしてライブ用チューナで得られた放送コンテンツの映像は、ユーザの視聴のためにディスプレイに出力されるとともに、例えばＨＤＤ等に記録される。なお、このような視聴している映像の録画を、上記録画用チューナを用いた録画と区別するため、説明上「ライブ録画」と言うこととする。また、上記録画用チューナを用いた録画を「通常録画」とする。
図５（ａ）（ｂ）（ｃ）に示すように、例えばｔ０時点でユーザーがｃｈ１０を選局操作したとすると、ライブ録画としてｃｈ１０の映像が録画され、また出力映像としてｃｈ１０のライブ映像がディスプレイに表示されてユーザーの視聴に供される。
もし、ｔ１時点でユーザーがｃｈ４に切り換える操作を行うと、ｔ１時点からはライブ録画としてはｃｈ４の映像が録画され、また出力映像としてｃｈ４のライブ映像がディスプレイに表示される。さらにｔ２時点でユーザーがｃｈ１に切り換える操作を行うと、ｔ２時点からはライブ録画としてはｃｈ１の映像が録画され、また出力映像としてｃｈ１のライブ映像がディスプレイに表示される。
【０００７】
このような機器では、ライブ映像の視聴中にライブ録画を行っていることにより、ユーザーが再生関連操作を行うと、ライブ録画した映像を再生させることができるようにされている。なお、再生関連操作とは、例えば頭出し、早戻し、早送り等のサーチ、通常再生、変速再生など、記録媒体からの再生映像をディスプレイに表示させる状況にかかる操作のことである。
例えばライブ用チューナでｃｈ４を受信しているｔ１〜ｔ２の期間内のある時点でユーザーが早戻し等の操作を行えば、ｃｈ４のライブ映像に代わってｃｈ４のライブ録画の再生映像をディスプレイに表示させることができる。これによって、例えば見ている番組の直前のシーンなどを見直すことができる。
【０００８】
ところでライブ録画は、あくまでチャンネル操作に応じて開始される。つまり或るチャンネルの番組を見ている場合、そのチャンネルに切り換えられた時点からの映像がライブ録画されており、その時点からの映像が任意に再生できるものである。
例えばｃｈ１の番組を視聴しているｔ３時点でユーザーが頭出し操作を行ったとすると、ｔ２時点からライブ録画されていたファイル（例えばＨＤＤに現在記録を行っているコンテンツファイル）が再生されることになり、頭出し操作でそのファイルの先頭を再生させようとしたわけであるから、ｔ２時点からの映像が再生されることになる。
従って、図５（ｃ）に示すように、ディスプレイに表示される映像は、ｔ３時点での頭出し操作によっては、ｃｈ１の番組のその時点の映像から、ライブ録画されていたｃｈ１の番組のｔ２時点からの映像に切り替わることになる。
【０００９】
ここで、図示するように、録画用チューナを使用した通常録画として、ｔ０時点から始まったｃｈ１の番組を録画していたとする。つまりユーザーは、ｔ０時点から録画している番組を、途中のｔ２時点からライブ視聴している状況を想定する。この場合、ユーザーからすれば、番組を途中から見るのではなく、番組を最初から（つまりｔ０時点の番組内容から）見たいと思うことが多い。
そこでライブ視聴から再生視聴に切り換えて最初から見ようとしても、頭出し操作によっては上記のようにライブ録画されたファイルが再生される。このためｔ２時点からの番組内容しか見ることができない。
【００１０】
上記のように、ライブ視聴中に再生関連操作が行われた際に、そのライブ視聴中にライブ録画された映像ファイルについての操作であると機器が認識して、ライブ録画された映像の再生処理がなされるのは、通常、それがユーザーの使用上で好適であるとされるためである。換言すれば、例えばライブ視聴中の番組の直前のシーンを見たいときに、複雑なメニュー操作やモード操作等を行わなければライブ録画映像が見られないようでは、非常に操作性が悪いものとなってしまうためである。
このようなことから、ライブ視聴中の再生関連操作によっては、ライブ録画されたファイルの再生処理が行われるが、すると上述の通り、録画用チューナを用いた通常録画により、例えばｃｈ１の番組を始めから録画しているにもかかわらず、ライブ視聴中の頭出し操作によって番組の始めからの再生映像を見ることができないものとなる。
例えばユーザーが見たい番組の途中から視聴を開始したが、せっかく録画しているので、やはり始めから見たいと思った場合などは、頭出し操作のワンタッチで番組の最初からの映像が再生されると、非常に好適であるが、そのような再生処理はなされないことになる。
【００１１】
もちろん、ユーザーの操作によっては、録画用チューナ側で録画された（もしくは録画中の）放送コンテンツの再生を行わせることは可能である。
例えばメニュー操作などにより、録画された（もしくは録画中の）タイトル一覧画面等を開き、現在録画用チューナ側で受信して録画中であるタイトル（ｔ０時点から通常録画を開始したｃｈ１の録画映像のファイル）を選択して再生操作をすることで、上記の場合にユーザーが見たいと思った番組の最初からの再生映像を見ることができる。
しかしながらこのような操作は、面倒で煩わしいものとなりユーザーにとって好ましくない。
【００１２】
以上のことをまとめると、録画用チューナを利用した通常録画と、視聴中のチャンネルの番組のライブ録画を同時に行う機器においては、ユーザーの操作性を考えると、視聴中の再生関連操作は、その時点でライブ録画されているファイルを対象とする操作と認識して再生処理を行うことが好適である。ところが、もし録画用チューナを利用した通常録画と、視聴中のチャンネルの番組のライブ録画が、同一のチャンネルの録画という状況になった場合は、再生関連操作によってライブ録画のファイルの再生処理が行われることは、ユーザーにとって好適な操作性とはならない場合がある。
【課題を解決するための手段】
【００１３】
そこで本発明は、複数の受信処理手段を備え、各受信処理手段で受信された放送コンテンツ信号を同時に記録再生できるビデオレコーダのような記録再生装置において、ユーザーの操作性を良好とし、利便性を向上させることを目的とする。
【００１４】
本発明の記録再生装置は、それぞれが放送コンテンツ信号の受信処理を行う第１、第２の受信処理手段と、上記第１，第２の受信処理手段で得られる各放送コンテンツ信号を同時に記録媒体に記録し、又、再生できる記録再生手段と、上記受信処理手段から出力される放送コンテンツ信号、及び上記記録再生手段によって記録媒体から再生された放送コンテンツ信号を所定の出力部から出力させる処理を行う出力処理手段と、ユーザー操作のための操作手段と、制御手段とを備える。制御手段は、上記操作手段で指示されたチャンネルの放送コンテンツ信号を、上記第１の受信処理手段で得て上記出力処理手段により上記出力部から出力させながら、上記記録再生手段により第１のコンテンツファイルとして記録媒体へ記録（ライブ録画）しており、また、上記第２の受信処理手段で得られる或るチャンネルの放送コンテンツ信号を上記記録再生手段により第２のコンテンツファイルとして記録媒体に記録している、同時記録実行中に、上記操作手段により再生関連操作が行われた場合、上記第１、第２の受信処理手段が同一チャンネルの受信処理を行っているのであれば、上記第２のコンテンツファイルに対する再生関連処理を実行させるようにする。
また上記制御手段は、上記同時記録実行中に、上記操作手段により再生関連操作が行われた場合、上記第１、第２の受信処理手段が異なるチャンネルの受信処理を行っているのであれば、上記第１のコンテンツファイルに対する再生関連処理を実行させる。
【００１５】
本発明の再生処理方法は、それぞれが放送コンテンツ信号の受信処理を行う第１、第２の受信処理手段と、上記第１，第２の受信処理手段で得られる各放送コンテンツ信号を同時に記録媒体に記録し、又、再生できる記録再生手段と、上記受信処理手段から出力される放送コンテンツ信号、及び上記記録再生手段によって記録媒体から再生された放送コンテンツ信号を所定の出力部から出力させる処理を行う出力処理手段と、ユーザー操作のための操作手段とを備える記録再生装置における再生処理方法である。そして、上記操作手段で指示されたチャンネルの放送コンテンツ信号を、上記第１の受信処理手段で得て上記出力処理手段により上記出力部から出力させながら、上記記録再生手段により第１のコンテンツファイルとして記録媒体へ記録する第１の受信及び記録ステップと、上記第２の受信処理手段で得られる或るチャンネルの放送コンテンツ信号を上記記録再生手段により第２のコンテンツファイルとして記録媒体に記録する第２の受信及び記録ステップと、上記第１，第２の受信及び記録ステップが同時に実行されているときに上記操作手段により再生関連操作が行われた場合、上記第１、第２の受信処理手段が異なるチャンネルの受信処理を行っていれば上記第１のコンテンツファイルに対する再生関連処理を実行し、上記第１、第２の受信処理手段が同一のチャンネルの受信処理を行っていれば上記第２のコンテンツファイルに対する再生関連処理を実行する再生ステップとを備える。
【００１６】
このような本発明では、第１の受信処理手段で受信復調される放送コンテンツの映像をライブ視聴中のユーザーが、再生関連操作を行った場合に、記録されたコンテンツファイルの内でユーザーにとって最も適切なコンテンツファイルの再生処理が行われる。
即ち、ユーザーの視聴中の再生関連操作は、通常、視聴中の番組の再生映像を求めるものであるため、第１の受信処理手段で得られる放送コンテンツのライブ録画と、第２の受信処理手段で得られる放送コンテンツの通常録画が異なるチャンネルの番組である場合は、ライブ録画された映像（第１のコンテンツファイル）を再生処理することが適切である。一方、もし、第１の受信処理手段で得られる放送コンテンツのライブ録画と、第２の受信処理手段で得られる放送コンテンツの通常録画が同じチャンネルの番組である場合は、通常録画した映像（第２のコンテンツファイル）は、番組の最初から録画されているものであることが多いため、ユーザーが再生を求めた場合は、第２のコンテンツファイルの再生処理を行うことが適切となる。
【発明の効果】
【００１７】
本発明によれば、第１の受信処理手段で得られる放送コンテンツの視聴及びライブ録画（第１のコンテンツファイルの録画）と、第２の受信処理手段で得られる放送コンテンツの通常録画（第２のコンテンツファイルの録画）が同時に実行されている場合、ユーザーが再生関連操作を行った場合は、もし第１，第２の受信処理手段の受信チャンネルが異なれば、第１のコンテンツファイルの再生処理が行われ、第１，第２の受信処理手段の受信チャンネルが同一であれば、第２のコンテンツファイルの再生処理が行われる。これによって、ユーザーが視聴中に再生を希望する操作を行った場合に、適切なコンテンツファイルを対象として再生処理できることになる。つまりユーザーにとっては、視聴中に、視聴中の番組についての直前の映像や番組の最初からの映像を簡易な操作で見ることができるようになり、操作性や利便性を大きく向上させることができる。
【発明を実施するための最良の形態】
【００１８】
以下、本発明の実施の形態として、アナログテレビジョン放送の番組をデジタル録画することのできる記録再生装置（デジタルビデオレコーダ）を例に挙げて説明する。
図１は、本実施の形態の、アナログ放送を受信し、デジタル録画できるるデジタルビデオレコーダのハードウェア構成例を示すブロック図である。
【００１９】
チューナ１，２は、それぞれアナログテレビジョン放送に対応するチューナである。なお、実施の形態ではアナログテレビジョン放送に対応する装置として説明するが、もちろん地上波、衛星放送等としてのデジタル放送に対応するものとされてもよい。
チューナ１、２は、図示せぬアンテナにより受信された複数の番組（放送コンテンツ）の信号から、ＣＰＵ１５の制御に基づいて、ユーザが所望した番組の信号を抽出し、それぞれＭＰＥＧ（Moving Picture Experts Group ）エンコーダ３，４に出力する。
【００２０】
この場合、チューナ１はリアルタイムのライブ視聴に用いられるライブ用チューナとされている。
従って、ライブ用チューナ１はユーザーのチャンネル操作に応じて選局、受信、復調を行うものとなり、受信した番組の音声信号および映像信号を、ユーザーの視聴に供するために音声信号処理回路９および映像信号処理回路１１にそれぞれ出力する。
またライブ用チューナ１で得られる番組の映像信号および音声信号は、上記のようにＭＰＥＧエンコーダ３にも出力され、録画のための処理が施されるが、これは視聴されている番組が、そのままライブ録画されるようにしているためである。
【００２１】
一方、チューナ２は、ライブ視聴ではない通常録画、即ち予約録画、自動録画（詳述しないが例えばユーザーの視聴履歴や録画履歴などから自動的に番組を選択して行う録画）或いは手動録画（ユーザーの操作によって開始される録画）などを行うために設けられている録画用チューナである。
この録画用チューナ２で得られる番組の映像信号および音声信号は、上記のようにＭＰＥＧエンコーダ３にも出力され、録画のための処理が施される。
【００２２】
なお、この例ではライブ用チューナ１と録画用チューナ２を明確に分けるものとしているが、複数のチューナがフレキシブルに一方がライブ用、他方が録画用として用いられる用にすることもできる。
その場合、構成的には、両方のチューナにより得られる映像信号、音声信号が、記録のためのエンコーダ系、及びユーザーの視聴のための音声／映像信号処理回路系に供給できるようにすればよい。
【００２３】
ＭＰＥＧエンコーダ３，４は、それぞれチューナ１、２より供給された番組の信号に対して、MPEG 方式に基づいて圧縮処理するなどしてエンコードする。すなわち映像記録（録画）のためのエンコードを行う。
圧縮等のエンコードが施されたデータは、バス２０を介してストレージ１８に供給され記録される。例えば１つの番組が１つのビデオコンテンツのファイル（コンテンツファイル）として記憶される。
なお、記録されるコンテンツファイルは、それぞれにタイトルＩＤが付加される。これについては後述する。
【００２４】
ＭＰＥＧデコーダ５は、ストレージ１８に記憶されているMPEG 方式で圧縮されたコンテンツファイルを再生した際に、その再生データストリームを、バス２０を介して読み出し、そのデータストリームをデコードする。デコードされた音声信号および映像信号は、音声信号処理回路９および映像信号処理回路１１に、それぞれ出力される。
付加音発生回路６は、ユーザによりリモートコマンダ１４が操作された場合、その操作音や付加音を生成し、音声信号処理回路９に出力する。
映像デコーダ８は、ＶＲＡＭ（Video RAM ）７に蓄積されている表示用のイメージデータを読み出し、それを映像信号に変換する。変換された映像信号は、映像信号処理回路１１に供給される。
【００２５】
音声信号処理回路９は、チューナ１、２またはＭＰＥＧデコーダ５より供給された音声データをD/A（Digital to Analog）変換し、音響処理、増幅処理等を行った後、接続されたスピーカ１０に出力する。ただし、付加音発生回路６より付加音が供給されている場合、音声信号処理回路９は、チューナ１、２またはMPEGデコーダ５より供給された音声データをD/A変換した後、その音声信号と付加音を合成し、スピーカ１０に出力する。
映像信号処理回路１１は、テレビチューナ１、２またはMPEGデコーダ７より供給された映像データをD/A変換し、接続されたディスプレイ１２に出力する。ただし、映像デコーダ８より表示用のイメージデータが供給されている場合、映像信号処理回路１１は、テレビチューナ１、２またはMPEGデコーダ５より供給された映像データと表示用のイメージデータを合成した後、D/A変換し、ディスプレイ１２に出力する。
スピーカ１０は、音声信号処理回路９より供給された音声信号を出力する。ディスプレイ１２は、映像信号処理回路１１より供給された映像信号を表示（再生）する。
スピーカ１０，ディスプレイ１２は、当該録画装置としての機器内に一体的に設けられていても良いし、別機器として接続されるものでもよい。
【００２６】
リモコン受光部１３は、ユーザにより例えば赤外線出力のリモートコマンダー１４が操作されると、その操作信号を受光し、電気信号による操作コマンド信号に変換してＣＰＵ１５に出力する。もちろんリモートコマンダー１４は赤外線方式のみでなく、例えば電波を用いたものでもよい。
このリモートコマンダー１４およびリモコン受光部が、ユーザーが各種の操作入力を行う部位となる。例えばチャンネル切換操作や再生関連操作などの各種ユーザー操作はリモートコマンダー１４を用いて行われる。
また、リモートコマンダー１４を用いた操作の際には、ディスプレイ１２を用いたＧＵＩとしてメニュー画面等が表示される。そのようなＧＵＩ表示のための映像信号は、上記ＶＲＡＭ７，映像デコーダ８によって発生される。
なお、図示していないが、リモートコマンダー１４だけでなく、機器筐体のパネル上に操作子を形成し、各種操作入力を行うことができるようにしてもよい。
【００２７】
ＣＰＵ（Central Processing Unit ）１５は、リモコン受光部１３より操作信号（コマンド）が入力されると、ＲＯＭ（Read Only Memory ）１７またはストレージ１８に記憶されているプログラムに従って、各種の処理を実行する。
ＲＡＭ１６は、ＲＯＭ１７またはストレージ１８に記憶されている起動モジュールやＯＳ等のプラットフォームソフトウェアプログラム、アプリケーションプログラム、または、その実行において適宜変化するパラメータを一時格納する。
ＲＯＭ１７には、ＣＰＵ１５を動作させるプラットフォームソフトウェアモジュール、および、起動モジュールが記憶されている。
不揮発性ＲＡＭ１９は、例えば、メモリカードまたはフラッシュメモリで構成されており、ユーザの認証情報、課金情報、および嗜好情報等を記憶する。
【００２８】
ストレージ１８は、例えば、磁気ハードディスクまたは記録可能なDVD ディスクで構成されており、ビデオコンテンツ、ビデオコンテンツに関連するデータ（メタデータ）、EPG情報等が記憶されている。
また上記のようにＭＰＥＧエンコーダ３，４によってエンコードされたデータが記録されるものであり、すなわち当該録画装置において受信した放送コンテンツを録画する先のメディアとなる。
【００２９】
本例のデジタルビデオレコーダには、この図１に示したように、視聴用チューナ１およびMPEGエンコーダ３による系統によりライブ録画を実行できるとともに、録画用チューナ２およびMPEGエンコーダ4の系統により、例えば予約録画、自動録画、手動録画などの通常録画を実行できる。例えばＨＤＤを用いたストレージ１８に対するこれらの２系統の録画は同時に実行できる。また、録画中のコンテンツファイルの再生も実行できる。
【００３０】
本例において実行されるライブ録画及び通常録画の様子を図２で説明する。
図２（ａ）（ｂ）（ｃ）では、ライブ用チューナ１での受信チャンネル、ライブ録画、及びユーザー視聴のための出力映像の様子を示し、また図２（ｄ）（ｅ）では録画用チューナ２での受信チャンネルと受信された放送コンテンツの通常録画の様子を示している。
図２（ｄ）（ｅ）のように例えば録画用チューナでは、予約録画、自動録画、又は手動録画として、ｔ０時点からチャンネル１（ｃｈ１）の録画を行っているものとする。即ち録画用チューナ２の選局チャンネルはｃｈ１とされ、ｃｈ１の放送コンテンツを復調する。その復調された映像信号、音声信号はＭＰＥＧエンコーダ４において処理され、ストレージ１８に供給されて１つのコンテンツファイルとして記録されていく。即ちｃｈ１の放送映像が録画される。
【００３１】
一方、ライブ用チューナ１では、ユーザーのチャンネル操作に応じて受信復調処理を行い、得られた放送コンテンツの映像信号、音声信号は、映像信号処理回路１１，音声信号処理回路９に供給され、ディスプレイ１２及びスピーカ１０から出力される。それと同時に、ライブ用チューナ１で得られた映像信号、音声信号はＭＰＥＧエンコーダ３において処理され、ストレージ１８に供給されて１つのコンテンツファイルとして記録されていく。即ち現在ユーザーが視聴している映像がライブ録画される。
図２（ａ）（ｂ）（ｃ）に示すように、例えばｔ０時点でユーザーがｃｈ１０を選局操作したとすると、ライブ録画としてｃｈ１０の映像が録画され、また出力映像としてｃｈ１０のライブ映像がディスプレイ１２に表示されてユーザーの視聴に供される。
ｔ１時点でユーザーがリモートコマンダー１４を用いてｃｈ４に切り換える操作を行うと、ｔ１時点からはライブ録画としてはｃｈ４の映像が録画され、また出力映像としてｃｈ４のライブ映像がディスプレイに表示される。
さらにｔ２時点でユーザーがｃｈ１に切り換える操作を行うと、ｔ２時点からはライブ録画としてはｃｈ１の映像が録画され、また出力映像としてｃｈ１のライブ映像がディスプレイに表示される。
【００３２】
なお、ストレージ１８において記録されるコンテンツファイルは、番組（１つの録画単位）毎に異なるタイトルＩＤが付与される。
例えば図２（ｅ）のように予約録画等により録画されるコンテンツファイルは、１つのタイトルＩＤが設定される。また図２（ｂ）のライブ録画については、チャンネルが切り換えられる時点で１つのコンテンツファイルが生成されるものとなり、それぞれ１つのタイトルＩＤが付与される。
例えばｔ０〜ｔ１時点のｃｈ１０の映像を録画したものが１つのコンテンツファイルとされ、１つのタイトルＩＤが付される。またｔ１〜ｔ２時点のｃｈ４の映像を録画したものが１つのコンテンツファイルとされ、１つのタイトルＩＤが付される。
【００３３】
図３には、ｔ２時点以降での、ストレージ１８に形成されるコンテンツファイルの様子を示している。
コンテンツファイルＦＬ１，ＦＬ２・・・は、それ以前に録画されたコンテンツファイルを示しており、それぞれタイトルＩＤ（ＩＤ１，ＩＤ２・・・）としてユニークなコードが付与される。
ｔ２時点以降の期間は、ユーザーがｃｈ１を視聴しているため、ｃｈ１のライブ録画が行われている。このため、ライブ用チューナ１で得られた映像信号及び音声信号の録画が図示するコンテンツファイルＦＬｍとして記録されている状態である。
また、録画用チューナ２により得られる映像信号及び音声信号の通常録画としては、ｔ０時点以降継続してｃｈ１の番組について行われている。これがコンテンツファイルＦＬｎとして記録されている。
そしてこの場合、コンテンツファイルＦＬｍにはタイトルＩＤ（ＩＤｎ）が付与され、コンテンツファイルＦＬｎにはタイトルＩＤ（ＩＤｎ）が付与された状態を示している。
【００３４】
本例のデジタルビデオレコーダでは、ライブ映像の視聴中にライブ録画を行っていることにもより、ユーザーが再生関連操作を行うと、視聴中の番組の再生映像を出力させることができるようにされている。上述もしたが、再生関連操作とは、例えば頭出し、早戻し、早送り等のサーチ、通常再生、変速再生など、記録媒体からの再生映像をディスプレイに表示させる状況にかかる操作のことである。
例えばライブ用チューナ１でｃｈ４を受信しているｔ１〜ｔ２の期間内のある時点でユーザーが早戻し等の操作を行えば、ｃｈ４のライブ録画によるコンテンツファイルをストレージ１８から再生し、その再生映像をｃｈ４のライブ映像に代わってディスプレイ１２に表示させることができる。これによって、例えば見ている番組の直前のシーンなどを見直すことができる。
【００３５】
但し、このように視聴中の再生関連操作に応じて、ライブ録画されたコンテンツファイルを再生処理するのは、ライブ用チューナ１と録画用チューナ２のチャンネルが同一ではない場合である。つまりその時点で通常録画しているコンテンツファイルと、ライブ録画にかかるコンテンツファイルとが異なる番組である場合、もしくは通常録画が行われていない場合である。
もし再生関連操作が行われた際に、ライブ用チューナ１と録画用チューナ２のチャンネルが同一であった場合、つまりその時点で通常録画しているコンテンツファイルと、ライブ録画にかかるコンテンツファイルが同じ番組であったら、その再生関連操作に応じて再生処理するコンテンツファイルは、録画用チューナ２を用いて通常録画しているコンテンツファイルとする。
【００３６】
例えばｃｈ１の番組を視聴しているｔ３時点でユーザーが頭出し操作を行ったとする。この時点では、ｔ２時点からライブ録画されていたコンテンツファイルＦＬｍと、録画用チューナ２を用いてｔ０時点から通常録画しているコンテンツファイルＦＬｎは、同一のチャンネルの番組内容である。
このような場合、頭出し操作に応じては、コンテンツファイルＦＬｎが再生対象として処理され、例えばコンテンツファイルＦＬｎの先頭から再生が行われるものとなる。
従って図示するように、頭出し操作が行われたｔ３時点以降は、録画用チューナ２を利用して通常録画中であるコンテンツファイルＦＬｎの先頭からの再生映像がディスプレイ１２に表示されることになる。
【００３７】
つまり本例の場合では、チューナ１、２の両系統を用いた同時録画が行われている場合において、視聴中に再生関連操作が行われた場合、同時に録画しているコンテンツファイルが異なるチャンネルの番組であるなら、その時点でライブ録画されているコンテンツファイルを対象として再生処理が行われ、一方、同時に録画しているコンテンツファイルが同一チャンネルの番組であるなら、録画用チューナ２の系統で通常録画されているコンテンツファイルを対象として再生処理が行われることになる。
これにより、ユーザーは現在視聴中の番組に関する再生としての適切な再生を、簡易な操作で実行させることができる。
即ち、同時録画されているコンテンツファイルが異なる番組である場合は、視聴中の番組の再生映像は、ライブ録画されているコンテンツファイルを再生することで表示され、例えば直前のシーンの見直しなどの操作を容易に実行できる。
一方、同時録画されているコンテンツファイルが同一の番組である場合は、視聴中の番組の再生映像は、どちらのコンテンツファイルの再生によっても見られるが、予約録画、自動録画、手動録画等により通常録画されているコンテンツファイルは、その番組の開始時からの映像を含んでいることが多い。従って、録画用チューナ２の系統で通常録画されているコンテンツファイルを対象として再生処理が行うようにすれば、直前のシーンの見直しだけでなく、番組の先頭から見ることもできるものとなる。そしてそのような操作を、ユーザーは録画系統やコンテンツファイルの別を意識しなくて実現できることとなり、操作性や利便性の高いものとなる。
【００３８】
以下、上記の再生処理を実現するためのＣＰＵ１５の制御を図４で説明する。
図４は、ユーザーがリモートコマンダー１４を用いてチャンネル切換操作を行った時点からのライブ視聴中に行われる処理としている。なお、このフローチャートでは説明の簡略化のために処理の終了タイミングを示していないが、図４の処理の実行中には、ユーザーがチャンネル切換操作を行うことで、それまでの処理を終え、ステップＦ１０１からの処理を再開するものとする。もちろん、他の機能の操作や電源オフ操作などによって図４の処理が終了される場合もある。
【００３９】
ユーザーがチャンネル切換操作を行うと、ＣＰＵ１５はステップＦ１０１からの処理を開始する。まずステップＦ１０１で、ライブ用チューナの受信チャンネルを、ユーザーが指示したチャンネルに切り換える。
これによりライブ用チューナ１ではユーザーが指示したチャンネルでの受信復調を行うが、ＣＰＵ１５はステップＦ１０２で、受信復調される放送コンテンツの信号についてのライブ映像表示及びライブ録画を開始させる。従って、ディスプレイ１２及びスピーカ１０からは、当該チャンネルの番組がユーザーの視聴のために出力される。同時にＭＰＥＧエンコーダ３でエンコード処理された映像信号、音声信号が、ストレージにおいて１つのコンテンツファイルとしてライブ録画されていく。なおこのときＣＰＵ１５は、このライブ録画のコンテンツファイルに付加されるタイトルＩＤを、変数（レジスタ）Ａとして保持しておく。
【００４０】
ステップＦ１０３では、上記のように開始したライブ録画と同一チャンネルの通常録画が実行中であるか否かを確認する。即ち録画用チューナ２を利用しての録画が行われているか、また行われている場合は、その録画用チューナ２のチャンネルが現在のライブ用チューナ１のチャンネルと同一であるか否かを確認する。
もし録画用チューナ２を利用した通常録画として、ライブ録画と同一チャンネルの番組の録画が実行されていなければ、ステップＦ１０４に進む。
【００４１】
ステップＦ１０４では、ユーザーの再生関連操作を監視する。再生関連操作がなされていない期間は、ステップＦ１０２で開始されたライブ視聴のための出力及びライブ録画が継続されることになる。この期間は、ステップＦ１０４からＦ１０３に戻る。従って、再生関連操作が行われず、また録画用チューナ２を利用した通常録画として同一チャンネルの録画が開始されない状況においては、ステップＦ１０３，Ｆ１０４のループが繰り返えされる。
なお、このステップ１０３，Ｆ１０４のループ期間中に、録画用チューナ２を利用した通常録画として、実行中のライブ録画と同一チャンネルの録画が開始されたら、ステップＦ１０９側に進むことになる。
【００４２】
ステップＦ１０４においてユーザーが再生関連操作を行ったことを検出したら、ＣＰＵ１５の処理はステップＦ１０５に進み、その操作内容（頭出し、サーチ、再生等の別）に応じて、変数Ａとして保持しているタイトルＩＤのコンテンツファイルに対する処理を実行させる。即ち現在ライブ録画中のコンテンツファイルに対する処理を実行させるものとなる。例えば再生関連操作がなされたタイミングが図２の時点ｔ１〜ｔ２の期間内のタイミングであったとしたら、ｃｈ４のライブ録画についての操作に応じた再生やサーチ等のための処理を、ストレージ１８に指示し、ＭＰＥＧデコーダ５により再生映像及び再生音声を映像信号処理回路１１及び音声信号処理回路９に供給させて、ディスプレイ１２及びスピーカ１０から再生映像／音声の出力を実行させる。
このステップＦ１０５でのユーザーの各種再生関連操作に応じた処理は、ステップＦ１０６でユーザーの再生停止操作が検出されるまで行われる。従って、ユーザーは頭出し、早戻し、再生、早送り、一時停止などの操作を行うことで、ライブ録画された映像を任意に視聴できる。
【００４３】
ユーザーが再生停止操作を行った場合は、ＣＰＵ１５の処理はステップＦ１０６からＦ１０７に進み、変数Ａに保持したタイトルＩＤのコンテンツファイルに対する再生処理を終了させ、ステップＦ１０８でライブ映像の視聴状態に戻す。即ち、映像信号処理回路１１及び音声信号処理回路９がライブ用チューナ１で受信復調された映像信号、音声信号を、ディスプレイ１２及びスピーカ１０から出力する状態に復帰させる。
そしてステップＦ１０３に戻る。
なお、ステップＦ１０５〜Ｆ１０８までの期間においても、再生対象となっているコンテンツファイルについてのライブ録画は継続させる。つまりステップＦ１０５での再生処理は、現在ライブ録画中のコンテンツファイルについて、既に録画された部分の再生処理となる。
【００４４】
チャンネル切換操作に応じて処理がステップＦ１０１→Ｆ１０２→Ｆ１０３と進んだ場合において、或いはステップＦ１０３，Ｆ１０４のループ処理中において、ライブ録画されているチャンネルと同一チャンネルの通常録画が録画用チューナ２を利用して行われている状態と判別されたときは、ＣＰＵ１５の処理はステップＦ１０９に進み、まず録画用チューナ２を利用して通常録画しているコンテンツファイルのタイトルＩＤを変数（レジスタ）Ｂに保持する。
そしてステップＦ１１０では、通常録画が終了したか否かを監視し、またステップＦ１１１では、ユーザーによる再生関連操作が行われたか否かを監視する。
ステップＦ１１０，Ｆ１１１での監視ループにおいて、もし再生関連操作が行われないまま通常録画の終了が検出されたらステップＦ１０３に戻る。
【００４５】
ステップＦ１１１においてユーザーが再生関連操作を行ったことを検出したら、ＣＰＵ１５の処理はステップＦ１１２に進み、実行中のライブ録画を停止させる。即ちステップＦ１０２からストレージ１８において実行されている、変数ＡのタイトルＩＤのコンテンツファイルの録画を終了させる。
そしてステップＦ１１３で、ユーザーの再生関連操作の操作内容（頭出し、サーチ、再生等の別）に応じて、変数Ｂとして保持しているタイトルＩＤのコンテンツファイルに対する処理を実行させる。
これは例えば図２のｔ３時点での処理に相当し、もし時点ｔ３で頭出し操作が行われた場合、図２に示したように、録画用チューナ２を利用して通常録画されているコンテンツファイルを対象として、再生関連処理（この場合頭出し及びそれに続く再生）を実行させるものとなる。このため、ストレージ１８において、通常録画によるタイトルＩＤ「Ｂ」のコンテンツファイルの頭出し再生が行われ、再生映像及び再生音声がＭＰＥＧデコーダ５により映像信号処理回路１１及び音声信号処理回路９に供給され、ディスプレイ１２及びスピーカ１０から再生映像／音声の出力が実行される。
このステップＦ１１３でのユーザーの各種再生関連操作に応じた処理は、ステップＦ１１４でユーザーの再生停止操作が検出されるまで行われる。従って、ユーザーは頭出し、早戻し、再生、早送り、一時停止などの操作を行うことで、録画用チューナ２を利用して通常録画されていた映像を任意に視聴できる。
【００４６】
ユーザーが再生停止操作を行った場合は、ＣＰＵ１５の処理はステップＦ１１４からＦ１１５に進み、変数Ｂに保持したタイトルＩＤのコンテンツファイルに対する再生処理を終了させ、ステップＦ１１６でライブ映像の視聴状態に戻す。即ち、映像信号処理回路１１及び音声信号処理回路９がライブ用チューナ１で受信復調された映像信号、音声信号を、ディスプレイ１２及びスピーカ１０から出力する状態に復帰させる。
そしてステップＦ１１０に戻る。
なお、ステップＦ１１２〜Ｆ１１６までの期間においても、再生対象となっているコンテンツファイルについての通常録画（録画用チューナ２を利用した録画）は、その当初の終了時刻設定に至るまでは継続させる。つまりステップＦ１１３での再生処理は、現在通常録画中のコンテンツファイルについて、既に録画された部分の再生処理となる。もちろんステップＦ１１３での再生関連処理中に、予約録画、自動録画、手動録画等の設定の際にきめられた録画終了時刻となれば、そのコンテンツファイルの録画は終了されることになる。
【００４７】
このような図４の処理が、チャンネル切換操作以降において行われることで、図２で説明したような再生動作が実現される。即ちライブ視聴中にユーザーが再生関連操作を行った場合、もし録画用チューナ２を利用した通常録画が視聴中のチャンネルと同一であれば、その通常録画されているコンテンツファイルの再生処理が行われ、一方チャンネルが異なれば、ライブ録画しているコンテンツファイルの再生処理が行われることになり、これにより上述の通り、ユーザーにとって好適な再生を実現できる。
【００４８】
以上、実施の形態について説明してきたが、本発明の変形例、応用例は多様に考えられる。
実施の形態では例えば地上はアナログ放送の受信機能を備えたものを想定したが、もちろんＢＳ放送やＢＳ或いは地上波のデジタル放送を想定したチューナを備えた装置とされてもよい。またケーブルテレビジョン放送その他の各種放送に対応するチューナの搭載も考えられる。
また、それらのチューナを用いる録画系統が複数搭載される。従って３系統以上の録画系統を有する機器として本発明を適用することも可能である。
さらに、実施の形態では放送コンテンツを記録するストレージを内蔵する装置の例を挙げたが、例えば外部のＨＤＤやディスクドライブ装置等の記録装置を接続し、接続された記録装置における記録媒体に放送コンテンツを記録する記録装置としても、本発明は適用可能である。
また実施の形態では放送コンテンツを録画する装置としたが、オーディオ放送を録音する装置としても本発明は適用できる。即ち各種放送コンテンツを記録再生する記録再生装置として多様な実現態様が想定可能である。
【図面の簡単な説明】
【００４９】
【図１】本発明の実施の形態の記録再生装置のブロック図である。
【図２】実施の形態の録画、映像出力、及び再生処理の説明図である。
【図３】実施の形態の録画されるコンテンツファイルの説明図である。
【図４】実施の形態のチャンネル切換時の処理のフローチャートである。
【図５】従来の録画、映像出力、及び再生処理の説明図である。
【符号の説明】
【００５０】
１  ライブ用チューナ、２  録画用チューナ、３，４  ＭＰＥＧエンコーダ、５  ＭＰＥＧデコーダ、９  音声信号処理回路、１１  映像信号処理回路、１２  ディスプレイ、１０  スピーカ、１３  リモコン受光部、１４  リモートコマンダー、１５  ＣＰＵ、１６  ＲＡＭ、１７  ＲＯＭ、１８  ストレージ、１９  不揮発性ＲＡＭ
【図１】
2005079954.tif 000003
【図２】
2005079954.tif 000004
【図３】
2005079954.tif 000005
【図４】
2005079954.tif 000006
【図５】
2005079954.tif 000007